(57)【要約】  【課題】  【解決手段】  本発明は、オーディオおよびビデオワークをレコーディング、保存および再生するシステム及び方法に関する。一の実施例では、ユーザにオーディオトラックなどの可変ワークを提供する方法であって、ユーザにそのワークの第１バージョンを提供するステップを具える。第１バージョンは、トリガポイントを有する。この方法は、第１バージョンを提供する間に第１バージョンのトリガポイントに達する場合、ユーザにそのワークの第２バージョンを提供するステップを具える。第１バージョンのトリガポイントに達しない場合、第１のバージョンは再度提供される。このように、ワーク内のトリガポイントの使用によって、ユーザが同じワークを再び提供されるべきか否か、あるいはそのワークの続きのビューあるいはリスニング上にワークの異なるバージョンを提供するか否かを決定することができる。【選択図】図１
2007522604.tif 000002
【特許請求の範囲】
【請求項１】
ユーザに可変ワークを提供する方法において：
第１バージョンのトリガポイントを有する第１バージョンのワークをユーザに提供するステップと；
前記第１バージョンを提供している間に前記第１バージョンのトリガポイントに達する場合に、前記ユーザに前記ワークの第２バージョンを提供するステップと；
前記第１バージョンを提供している間に前記第１バージョンのトリガポイントに達しない場合に、前記ユーザに前記ワークの第１バージョンを再度提供するステップと；
を具えることを特徴とする可変ワークを提供する方法。
【請求項２】
請求項１に記載の方法において、前記第１バーションが複数のタグを有し、当該タグのうちの少なくとも一つが前記第１バージョンのトリガポイントを具えることを特徴とする方法。
【請求項３】
請求項２に記載の方法において、前記第１のトリガポイントが前記ワークの最終タグであることを特徴とする方法。
【請求項４】
請求項１に記載の方法において、前記ワークの第１バージョンの再提供が、遅延期間の後に生じることを特徴とする方法。
【請求項５】
請求項１に記載の方法において、前記ワークがオーディオトラックを具えることを特徴とする方法。
【請求項６】
請求項１に記載の方法がさらに、前記第２バージョンの提供の間に、第２バージョンのトリガポイントに達する場合に、前記ワークの第３バージョンを前記ユーザに提供するステップを具えることを特徴とする方法。
【請求項７】
請求項６に記載の方法において、前記ワークの第１バージョン、第２バージョン、及び第３バージョンの提供が所定の順番で生じることを特徴とする方法。
【請求項８】
請求項１に記載の方法において、前記第１のトリガポイントが、前記ワークの全長の相関として前記ワーク内に配置されていることを特徴とする方法。
【請求項９】
請求項１に記載の方法において、前記ワークが複数のセグメントを具え、前記第１のトリガポイントが前記複数のセグメントの所望の一つ内に位置していることを特徴とする方法。
【請求項１０】
請求項１に記載の方法において、前記第１バージョンが、第１バージョンをその上に配置したディスクをプレイするステップを具えることを特徴とする方法。
【請求項１１】
請求項１に記載の方法において、前記第１バージョンが、第１バージョンをその中に配置した電子ファイルにアクセスするステップを具えることを特徴とする方法。
【請求項１２】
内部にオーディオトラックを埋め込んだストレージ媒体において：
Ｎ本のオーディオトラックと；
前記Ｎ本のオーディオトラックの少なくとも一つについてのＶ個のバーションと；
前記Ｖ個のバージョン中のどれをプレイすべきかを決定する情報を具える制御トラックと；
を具えることを特徴とするストレージ媒体。
【請求項１３】
請求項１２に記載のストレージ媒体において、Ｎが少なくとも２つであり、Ｖが少なくとも４つであることを特徴とするストレージ媒体。
【請求項１４】
請求項１２に記載のストレージ媒体において、前記Ｎ本のオーディオトラックとＶ個のバージョンが、光ストレージ媒体上に維持されていることを特徴とするストレージ媒体。
【請求項１５】
請求項１２に記載のストレージ媒体において、前記Ｖ個の各バージョンがトリガポイントを具えることを特徴とするストレージ媒体。
【請求項１６】
請求項１２に記載のストレージ媒体において、前記制御トラックが更に、ストレージ媒体プレーヤによって読み取るように構成した日付／時間スタンプを具えることを特徴とするストレージ媒体。
【請求項１７】
ストレージ媒体内に埋め込まれたオーディオトラックをプレイするように構成されたオーディオプレーヤにおいて：
少なくとも一つのオーディオトラックにおけるトリガポイントであって、前記少なくとも一つのオーディオトラックのどのバージョンをプレイするべきかを決定するのに使用されるトリガポイントを検出するように構成された検出器と；
前記少なくとも一つのオーディオトラックの正しいバージョンを復号し、増幅器へ前記オーディオトラックを送信する復号器と；
を具えることを特徴とするオーディオプレーヤ。
【請求項１８】
請求項１７に記載のオーディオプレーヤにおいて、当該プレーヤがオーディオトラックを中に有する光ストレージ媒体をプレイするように構成されていることを特徴とするオーディオプレーヤ。
【請求項１９】
請求項１７に記載のオーディオプレーヤにおいて、前記検出器が更に前記ストレージ媒体に埋め込まれている制御トラックを読み取るように構成されており、前記制御トラックがどのオーディオトラックをプレイするべきかを決定するための情報を具えることを特徴とするオーディオプレーヤ。
【請求項２０】
請求項１７に記載のオーディオプレーヤにおいて、前記復号器が、前記オーディオトラックが初回にプレイされるときに前記オーディオトラックの第１バージョンを復号し、前記オーディオトラックがプレイされるＮ番目のオーディオトラックの第２バージョンを復号するように構成されていることを特徴とするオーディオプレーヤ。
【請求項２１】
請求項１７に記載のオーディオプレーヤにおいて、前記復号器が、オーディオプレーヤのメモリにロードするように構成されたソフトウエアベースの復号器を具えることを特徴とするオーディオプレーヤ。
【請求項２２】
請求項１７に記載のオーディオプレーヤにおいて、前記復号器が更に、前記少なくとも一のオーディオトラックの正しいバージョンを圧縮解除するように構成されていることを特徴とするオーディオプレーヤ。
【請求項２３】
歌をレコーディングする方法において：
歌ベースのバージョンをレコーディングするステップと；
前記歌ベースのバージョンの第１バージョンをミキシングするステップと；
前記歌ベースのバージョンの第２バージョンをミキシングするステップと；
前記歌ベースのバージョンの第３バージョンをミキシングするステップと；
ストレージ媒体上の前記ベース、第１、第２、および第３バージョンを符号化するステップと；
前記ストレージ媒体上の制御トラックであって、前記ベースバージョン、第１バージョン、第２バージョン、第３バージョンのいずれをプレイするべきかを決定する情報を具える制御トラックを符号化するステップと；
を具えることを特徴とする方法。
【請求項２４】
請求項２３に記載の方法において、前記第１乃至第３バージョンが、前記歌のベースバージョンの認識可能なバリエーションであることを特徴とする方法。
【請求項２５】
請求項２３に記載の方法において、前記第１のバージョンが歌構造において、前記第２のバージョンが前記ベースバージョンに似ているよりも、前記ベースバージョンにより似ていることを特徴とする方法。
【請求項２６】
請求項２３に記載の方法において、前記第１のバージョンが、楽器およびボーカルの数において、前記第２のバージョンが前記ベースバージョンに似ているよりも、前記ベースバージョンにより似ていることを特徴とする方法。
【発明の詳細な説明】
【技術分野】
【０００１】
発明の背景
本発明は、一般的にオーディオおよびビデオのレコーディング及び再生システム及び方法に関する。特に、本発明は、オーディオ聴者やビデオ視聴者に非常に大きな変化を提供するやり方で、オーディオおよびビデオトラックを作るシステム及び方法を提供する。
【０００２】
発明の簡単な概要
本発明は、オーディオ及びビデオワークのレコーディング、保存および再生のためのシステム及び方法に関する。本発明の一実施例では、オーディオトラックなどの可変ワークをユーザに提供する方法であって、ユーザに当該ワークの第１バージョンを提供するステップを具える。第１バージョンは、その中に第１バージョントリガポイントを有する。この方法は、第１バージョンを提供している間に第１バージョントリガポイントに到達した場合に、ユーザに前記ワークの第２バージョンを提供するステップを具える。このトリガポイントに到達しない場合は、本方法は、第１バージョンを再度提供するステップを具える。このように、ワーク内のトリガポイントの使用が、ユーザに同じワークを再び提供するべきであるか否か、あるいはそのワークの別バージョンを提供するべきであるか否かの決定を助ける。
【０００３】
一の態様では、ワークの第１バージョンが複数のタグを有し、少なくとも一のタグが第１バージョンのトリガポイントを具えている。特別な態様では、この第１バージョンのトリガポイントがワークの最終タグである。その他の実施例では、このトリガポイントは、ワークの全長の相関としてワーク内に位置しているか、あるいはワークの所望の位置またはセグメント内に位置している。
【０００４】
一の態様では、ワークの第１バージョンが遅延期間の後、再度提供される。これは、例えば、提供が停止したときに第１のトリガポイントを通過させるのに不十分な時間、第１バージョンがユーザに提供される場合に生じる。数分、数時間、数日あるいは数週間の遅延の後、以前のワークの提供においてトリガポイントに到達しなかったので、第１バージョンが再度提供される。
【０００５】
一の態様では、第２バージョンが提供される間に、第２バージョンのトリガポイントに到達した場合、ワークの第３バージョンがユーザに提供される。特別な態様では、ワークの第１、第２および第３バージョンが所定の順番で提供される。ワークの提供は、代替の実施例では、第１バージョンをその上に配置したディスクをプレイする、あるいは第１バージョンをその中に配置した電子ファイルにアクセスするステップを具える。
【０００６】
本発明は更に、オーディオトラック中に埋め込んだストレージ媒体を提供する。一の実施例では、ストレージ媒体は、Ｎ本のオーディオトラックと、このＮ本のオーディオトラックの少なくとも一つについてＶ個のバージョンを有する。このストレージ媒体は更に、Ｖ個のバージョンのうちのどれをプレイするべきであるかを決定する情報を有する制御トラックを具える。一の態様では、この制御トラックは、あるバージョンが次のバージョンに進む前にプレイするべき回数に関する情報を具えている。一の態様では、この制御トラック情報は、別のトラックとしてではなく、様々な歌バージョン内に層を成している。
【０００７】
一の態様では、Ｖ個のバージョンの各々がストレージ媒体上に完全に保存されており、Ｎ本のオーディオトラックの一つの完全バージョンを表している。特別な態様では、Ｎは少なくとも２つであり、Ｖが少なくとも４つである。いくつかの態様では、ストレージ媒体が光ストレージ媒体であるが、その他のストレージ媒体も本発明の範囲内にある。更に別の実施例では、Ｖ個のバージョンの各々がトリガポイント、または複数のトリガポイントを有している。
【０００８】
本発明は、更に、ストレージ媒体に埋め込まれたオーディオトラックをプレイするように構成されたオーディオプレーヤおよびシステムを提供する。一の実施例では、このオーディオプレーヤは、少なくとも一つのオーディオトラック中のトリガポイントを検出するように構成された検出器を具える。このトリガポイントは、オーディオトラックのどのバージョンをプレイすべきかを決定するのに使用される。プレーヤは、オーディオトラックの正しいバージョンを復号して、増幅器にそのオーディオトラックを送信する復号器を具える。このようにして、オーディオトラックの正しいバージョンが聴者に対してプレイされる。
【０００９】
一の態様では、検出器は更に、ストレージ媒体上に埋め込まれた制御トラックを読み取るように構成されている。この制御トラックは、どのオーディオトラックをプレイすべきかを決定する情報を具える。別の態様では、復号器が、オーディオトラックがプレイされる第１回目にオーディオトラックの第１バージョンを復号して、オーディオトラックがプレイされるＮ番目にオーディオトラックの第２バージョンを復号するように構成されている。Ｎはどのような数でも良く、一の実施例では、制御トラックに含まれている。更に別の態様では、復号器は、オーディオプレーヤメモリ内にロードするように構成されたソフトウエアベースの復号器を具えている。このように、復号器はソフトウエアをダウンロードまたはアップロード可能である。一の態様では、復号器は、正しいオーディオトラックを圧縮解除するように構成されている。このように、オーディオトラックは、圧縮したフォーマットで保存して、再生用に圧縮を解除することができる。
【００１０】
本発明の一実施例では、歌をレコーディングする方法が提供されている。この方法は、歌ベースのバージョンをレコーディングするステップと、この歌ベースバージョンの３つのバージョンをミキシングするステップと、を具える。このベースの歌と３つのバージョンがストレージ媒体上で符号化される。制御トラックも、ストレージ媒体上で符号化される。この制御トラックは、ベースバージョン、第１バージョン、第２バージョン、あるいは第３バージョンのうちのどれをプレイすべきかを決定する情報を含んでいる。
【００１１】
特別な態様では、第１から第３のバージョンが歌ベースバージョンの認識可能なバリエーションである。一の態様では、第１バージョンが第２バージョンよりベースバージョンにより似ている。この類似性は、歌の全体的な構造上の類似性、及び／又は、様々な歌バージョン中の楽器の数とボーカル成分の類似性に基づくものである。歌バージョンは、全く変化するものであっても、アーティストの所望に基づいて非類似であってもよく、数々の歌の間で変化するものであっても良い。
【００１２】
この概要は、本発明によるいくつかの実施例の一般的なアウトラインのみを提供するものである。本発明の多くのその他の目的、特徴及び利点が、以下の詳細な説明、請求の範囲、及び添付図面から明らかになる。
【００１３】
発明の詳細な説明
情報レコーディング業界における当業者には公知であるように、複数のトラックまたは歌は、通常、互いにコンパイルして、消費者に販売している。１９８０年代及びそれより以前は、歌はビニールディスクあるいはアルバムに刻印されて、レコードプレーヤや、ジュークボックスなどでプレイされていた。今日は、より典型的には、歌のコンパイルは、コンパクトディスク（ＣＤ）にデポジットされている。例えば、典型的なＣＤは、ディスク上に各歌が１回だけディスクにレコーディングされた一連の歌あるいはトラックを有している。例えば、ＣＤを聞いているユーザは、歌Ａの一回の演奏、歌Ｂの一回の演奏、などを有する。歌Ａの各再生は、歌Ａの別の再生と同じように聞こえる。本発明のシステムと方法は、聴者により多くの変化を提供する。
【００１４】
図１を参照して、本発明の例示的な方法１００について説明する。方法１００は、連続再生用のオーディオトラックのレコーディング、ミキシング、編集、及びマスタリング、に関する。以下の説明は、一般的に、歌のレコーディングについて述べたものであるが、本発明は音楽のレコーディング以外にも適用される。例えば、本発明によってレコーディングされたオーディオトラックは、あらゆるジャンルの歌のみならず、スピーチ、オーディオブック、コメディアルバム、やる気を起こさせるテープなどを含んでいても良い。
【００１５】
図に示す一の特定の実施例では、方法１００は、音楽家、音楽グループ、あるいはレコーディングアーティストが、公衆に販売する新しいアルバム用に一群の歌をレコーディングするステップを具える。方法１００では、レコーディングアーティストが、個々のオーディオトラックまたは歌を演奏し、レコーディングしている（ブロック１１０）。例えば、これは、当業者に知られているように、マルチチャネルレコーディングスタジオで発生する。一の実施例では、各楽器またはボーカル成分（リード、バックアップ、ハーモニィ、他）が個々のあるいは別々のチャネルでレコーディングされる。レコーディングの後、オーディオトラックがミキシングされる（ブロック１２０）。ミキシングは、演奏の多層表現を作って、様々な楽器、ボーカル、音響効果、その他を組み合わせるのに使用される。ミキシングは通常、歌のステレオ（２トラック）マスタを作る。別の実施例では、歌をミキシングして、例えば、サラウンド音響効果を含む更なる再生効果用マルチチャネルとしている。
【００１６】
一旦ミキシングされると、レコーディングアーティスト及び／又はレコーディングスタジオによって、オーディオトラックが適宜編集される（ブロック１３０）。編集には、例えば、歌の構成の変更、詩やコーラスの配置、歌の部分の削除、などが含まれる。アーティストは、明らかにレコーディングプロセス（１１０）において入力を行っており、また、ミキシング（１２０）および編集（１３０）プロセスにおいても入力を行っている。オーディオトラックは、マスタリングして（ブロック１４０）、消費用製品を作る準備が行われる。例えば、オーディオトラックは、ＣＤ、デジタル可変ディスク（ＤＶＤ）、デジタルビデオ、またはオーディオディスク、スーパーオーディオディスク、その他のレコーディングメディア、その他を作るためにマスタリングされる。
【００１７】
レコーディングプロセス中に、アーティストは、特定な歌が、一度ミキシングされるのか、あるいは複数回ミキシングされるのかを決定する（ブロック１５０）。一度以上ミキシングするべき歌を、ここで「リビングオーディオ」または「リビングオーディオトラックあるいはリビングオーディオ歌」と呼ぶ。リビングオーディオトラックが所望されない場合は、その歌についてのレコーディングプロセスは終了する（ブロック１６０）。
【００１８】
リビングオーディオトラックが所望される場合（ブロック１５０）、アーティスト又はレコーディングスタジオは、追加のレコーディングが必要かどうかを決定する（ブロック１７０）。追加のレコーディングが必要な場合は、一の実施例では、アーティストが歌を再度レコーディングする（ブロック１１０）。その他の実施例では、オリジナルのレコーディングまたはその一部の再生とともに、演奏者が演奏または歌を歌い、追加の音楽トラックがレコーディングされる。いくつかの実施例では、様々なレコーディングに、ゲスト演奏者、非ボーカルバージョン、追加のギターソロなどの別のパフォーマンスが含まれる。その他のレコーディングは、電気ギターに代るアコースティックギターなど同様楽器を置き換え、異なるキーで演奏されるボーカル部分を追加または削除する。一の実施例では、リビングオーディオトラックをミキシングするために入手可能なより多くのコンポネントを作るために、追加の音楽トラック（例えば、ギター、ボーカル、その他）が最初のレコーディングセッションにレコーディングされる。代替的に、続くレコーディングセッションの間に、追加のレコーディングまたはトラックを得るようにしても良い。リビングオーディオセレクションの様々なバージョンをミキシングする場合、これらのコンポネントが混合バージョンの変化を作るために使用される。
【００１９】
歌あるいは追加トラックの各再レコーディングは、歌のオリジナルのレコーディングから一あるいはそれ以上変化していることがある。意図的な歌の変化に加えて、意図しない変化もレコーディングされることがある。オーディオトラックの各新バージョンが混合され（ブロック１２０）、編集され（ブロック１３０）、続いてマスタリングされる（ブロック１４０）。歌、あるいはその部分を１回以上レコーディングすることによって、よりクリエィティブで、変化のあるミキシングを行うことができる。
【００２０】
別の実施例では、追加のレコーディングまたはトラックは不要であるか、望まれていない（ブロック１７０）。この実施例では、様々な歌のバージョンが、以前にレコーディングした歌トラックとコンポネントを用いてミキシングプロセス１２０で作られる。再ミキシングしたリビングオーディオトラックは、オリジナルのレコーディングからいくらか変化するであろう。一般的に、楽器編成及び／又は歌の構成は、ミキシングプロセス中により多彩性を与えるために変化することがある。以下に図面と共に更に述べるとおり、再ミキシングした歌は、追加したあるいは削除した詩、長すぎるあるいは短すぎる導入部分、楽器の追加、変更あるいは削除、注目されるあるいは消えて行くバックグラウンドボーカル、およびバラエティに富んだその他の変更を有する。
【００２１】
一の実施例では、アーティストは、特定の歌の所望の数のバージョンができるまで、その歌の再レコーディング及び／又は再ミキシングを続ける。一の実施例では、ある歌のバージョンの総数は、約２つのバージョンと約１２のバージョン間のレンジにある。別の実施例では、約４つのバージョンと約８つのバージョン間で所望の歌がつくられる。歌の各レコーディングは、レコーディングされている材料をミキシング及び編集することによって、その歌一のバージョンまたは一以上のバージョンを生成することができる。一の実施例では、各リビングオーディオトラックに利用可能なミキシング数が変化し、さもなければ、特定の数に限定されない。
【００２２】
ミキシングプロセスの間に、アーティストが様々なバージョンに選択するか、あるいはリビングオーディオ歌のミックスが、大きな楽器構成の「フルバンド」ミックスから、一の楽器とボーカルの単純なミックスへ変化することがある。一の実施例では、演奏者は、ミックスからミックスへと、異なるスタイル及び／又は楽器を有する。一のオーディオトラックのいくつかのバージョンがレコーディングされ、ミキシングされ、編集された後、アーティスト、レコーディングスタジオ、その他が、新しいバージョンの生成を停止することを決定する（ブロック１５０）。レコーディング及びミキシングプロセスが終了する（ブロック１６０）。
【００２３】
歌の各バージョンをマスタリングするプロセスは、歌のオリジナルバージョンをマスタリングするプロセスと同じであるか、あるいは略同じである。しかしながら、マスタリングプロセスの後、より多くの歌あるいは特定の歌のリビングオーディオバージョンが存在することがある。本発明の利点の一つに、レコーディングアーティストが、歌または演奏のオリジナルバージョンのみならず、その歌のリビングオーディオバージョンまたはミキシングへの入力を行う複数ステージがあることである。一の実施例では、マスタリングステレオミキシングが省略なしの歌である。別の実施例では、変化した省略なしの歌バージョンが、レコーディングアーティストによって選択された所望の順番で配列されている。
【００２４】
一の実施例では、マスターセレクションは、標準的なデジタル−アナログコンバータによっては認識されないオーディオ圧縮フォーマットで仕上げを行う。このことによって、複数バージョンの歌など、より多くの情報の保存が可能となり、再生情報を再生ユニットに伝える制御トラックの符号化が可能となる。一の実施例では、各リビングオーディオ歌が所望の順序で配列されたミキシングを用し、シーケンシャルに、アルファベットで、あるいは数字で、各ミキシングにラベルを付す。
【００２５】
図２は、ＣＤ、ＤＶＤ、またはその他の記録媒体２００（総合して、ここでは、ＣＤ２００という）を概略的に示す図である。ＣＤ２００は、第１の記録面２１０と、中央開口２０５を有する。開口２０５は、ＣＤ２００にレコーディングされている歌の再生を容易にする速度でＣＤ２００を回転させる様々なＣＤプレイ装置に合うように構成されている。一の実施例では、ＣＤ２００は面２１０に複数の歌をレコーディングしている。例えば、一の実施例では、７つの歌２２０、２３０、２４０、２５０、２６０、２７０、および２８０がＣＤ２１０にレコーディングされている。ＣＤ２００のこの部分は、当業者に公知の標準的なＣＤｓに見られるのと同様である。しかしながら、ＣＤ２００は更に、一又はそれ以上の歌２２０−２８０のリビングオーディオバージョンを含んでいる。例えば、歌２２０がレコーディングされ、ミキシングされ、編集され、マスタリングされて、歌２２０のオリジナルバージョンに加えて、その７つの連続バージョンを作っている。歌２２０のこの７つの追加バーションは、アーク２２１−２２７として示されている。更に、歌２３０の８つの追加バージョンがＣＤ２００にレコーディングされており、アーク２３１−２３８として示されている。図２は、オリジナルの歌２２０−２８０と、ＣＤ２００にレコーディングされている歌２２０と２３０の７つまたは８つの追加バージョンを示しているが、本発明は、特定数の歌または歌バージョンに限定されないことは明らかである。各歌について、いくつかの歌について、あるいは全ての歌について、より少ないあるいはより多いバージョンを、本発明の範囲内でＣＤ２００にレコーディングすることができる。歌もアークで表示されているが、歌は連続的なスパイラルトラックの一部として、その他の物理的構成でＣＤ２００に保存するようにしてもよい。ＤＶＤ、ハードディスク、テープ、その他のストレージ媒体を用いて、オリジナル歌バージョンまたはリビングオーディオバージョンを保存することができる。オーディオ又はビデオのストレージが、追加のディスク、ハードディスク、テープ、その他に含まれていても良い。オーディオまたはビデオは、圧縮フォーマットであっても、非圧縮フォーマットであってもよい。
【００２６】
ＣＤ２００は、更に、面２１０に埋め込まれた制御トラック２９０を具える。制御トラック２９０は、リビングオーディオ歌トラック間、あるいは、歌あるいはその他のオーディオトラックを含むＣＤ面２１０の部分の端部を含む、様々な位置に配置することができる。制御トラック２９０は、リビングオーディオ再生プロセスを支配する情報を含んでいる。一の実施例では、レコーディングアーティストの所望の表示手順及び／又は歌２２１と歌バージョン２２２−２２７の順序が制御トラック２９０に埋め込まれている。制御トラック２９０はさらに、下記に述べるように、歌２２１、および２２２−２２７が「聞かれて」いたかどうかを決定するのに使用する情報を含んでいても良い。例えば、レコーディングアーティストは、リビングオーディオバージョン２２２−２２７が提供される前に、聴者に歌２２１のオリジナルバージョンを所定の回数聞かせたいことがある。この場合、聴者は、歌２２１に関連するＣＤトラックが選択されると、所望の回数、すなわち約１回から約１０回の間の回数、歌２２１を聞くであろう。このことは、一又はそれ以上のリスニングセッションを越えて生じることがある。聴者が所望の回数歌２２１を聞いた後、次いで制御トラック２９０が、ＣＤプレーヤに、所望のシーケンスの歌バージョン２２２−２２７をプレイするように指示する。これは、例えば、次の歌バージョンをプレイする前に、各歌バージョン２２２−２２７を１回プレイすることを含んでいる。一の実施例では、その歌の次のバージョンがプレイされる前に、各歌バージョンが所望の回数プレイされる。制御トラック２９０は、ＣＤプレーヤが正しいリビングオーディオ歌をなんらかの特定のリスニングセッションでプレイすることを補助する情報をここで、実行する。
【００２７】
例えば、各歌２２１−２２７のステレオミキシングバージョンは、オリジナルの歌２２０から若干変化した省略していないバージョンである。特定の実施例では、歌２２０と２２１は同じであり、そのバージョンである歌２２２−２２７を伴う。これは、歌３００の３つのバージョンの時間スケジュールを記載した図３Ａないし３Ｃによく示されている。図３Ａは、導入セクション３１０、第１の詩３１５、第２の詩３２０、およびコーラス３２５を有する歌３００を示す。コーラス３２５の後に、第３の詩３３０、ブリッジセクション３３５、および二つのコーラスセクション３４０と３４５が続く。歌３００は、フェード部分３５０で終わる。一の実施例では、図３Ａに記載されている歌３００は、歌２２０のオリジナルバージョンを表わすものである。別の実施例は、歌３００が図２に示すアーク２２１−２２７で表示される７つのバリエーションのいずれかを示すものである。
【００２８】
図３Ｂは、歌３００の別のリビングオーディオバージョンである歌３０１を示す。図３Ｂに見られるとおり、ギターソロ３５５が加わっており、コーラスセクション３４０が削除されている。図３Ｃは、歌３００の更に別のバージョンである歌３０２を記載している。このバージョンでは、導入部３６０が延長されており、フェード部分３７０が延長されており、第４の詩３６５が加わっており、コーラス３４５が削除されている。一の実施例では、歌３００はオリジナルの歌であり、歌３０１と３０２は、歌３００の二つのリビングオーディオバージョンである。歌３００は歌３０１で実施されるバージョンとほぼ同じ長さである一方で、その変形によって、生成される歌３０２が若干長い歌になる。歌あるいはリビングオーディオトラックの様々なバージョンはすべて同じ長さであってもよく、オリジナルの歌より短いあるいは長いといった、異なる長さであっても良いことは当業者には自明である。これは、部分的に可能である。なぜなら、一の実施例では、互いに相互作用するような歌の様々なミキシングは不要であるからである。更に、歌の構成の変化が強調された歌３００−３０２が記載されているが、この明細書のいずれかに記載されているものを含めて、その他の差も存在する。
【００２９】
図３Ａに示すように、歌３００はそれに関連する一またはそれ以上のタグを有する。タグは、歌３００内に埋め込まれたビットマーカあるいはその他のインディケータを具えていても良い。例えば、図３Ａは、第１の詩３１５内に第１のタグ３７５を、コーラス３２５内に第２のタグ３８０を、ブリッジセクション３３５内に第３のタグ３８５を、コーラス３４０の終わりに第４のタグ３９０を示している。同様に、歌３０１が、関連するタグを有する。図３Ｂに示すように、タグ３７５−３９０は、歌３０１中に歌３００にあったのと同じ位置にある必要はなく、歌３００の各バージョンは、同じ数のタグを有していなくとも良い。例えば、第１のタグ３７５と第３のタグ３８５は、それぞれ、第１の詩３１５とブリッジセクション３３５と同じ位置にある。しかしながら、第２のタグ３８０は第３の詩３３０に移動しており、第４のタグ３９０は削除されている。最終的に、図３Ｃに示す歌３０２は、歌の最後のあたりに位置した、単一のタグである第１のタグ３７５を有する。一の実施例では、タグ３７５−３９０は、ＣＤ、ＤＶＤ、ＭＰ３内に含まれるリビングオーディオ復号器か、あるいは以下に述べるようなその他のオーディオコンポネントによって読み取られる。別の実施例では、同じ歌の次のバージョンに移動する前に、選択したリビングオーディオバージョンを所定の回数プレイするのに必要な情報を単一のタグを含んでいる。一のバージョンから次のバージョンへ進むのに必要なプレイ回数は、ミキシングからミキシングへ、歌から歌へ、などで変化する。
【００３０】
図４Ａは、ＣＤ、ＤＶＤ、あるいはその他のオーディオ／ビデオコンポネントプレーヤ／レコーダ４００（以下、プレーヤ４００という）の簡単な概略図である。プレーヤ４００は、ＣＤ２００などを受けるように構成された入力／出力装置４１０を具える。プレーヤ４００内に一旦配置されると、ＣＤ２００が駆動モータによって適宜の回転数／分（ｒｐｍ）で回転する。ＣＤ２００の記録面２１０上の層に保存されたデータが、レーザとレンズ系４１５を用いて読み取られる。レーザは、トラッキング機構４２５を用いて記録面２１０に対して案内される。一の実施例では、ＣＤ面２１０から読み取ったデータをデジタル−アナログコンバータ４２０と増幅器４３０へ送り、聴者用の歌を生成する。プレーヤ４００は、当業者には公知のように、その他のコンポネントを具えていても良い。プレーヤ４００は、標準ＣＤ／ＤＶＤディスクあるいは、たとえば標準オーディオフォーマットで保存された音楽を含むその他のオーディオ／ビデオ媒体をプレイするように構成されている。この実施例では、プレーヤ４００は、標準オーディオフォーマットのみをプレイすることができ、ＣＤ２００のリビングオーディオトラックは読み取りあるいはプレイされない。例えば、プレーヤ４００は、歌２２０および２３０をプレイすることはできるが、歌バージョン２２１−２２７および２３１−２３８はプレイしない。
【００３１】
図４Ｂは、ここに記載されている本発明によるリビングオーディオ再生技術を有するプレーヤ／レコーダ４５０を記載している。プレーヤ／レコーダ４５０は、プレーヤ４００と同様に、入力／出力装置４１０と、レーザおよびレンズシステム４１５と、トラッキング機構４２５と、デジタル−アナログコンバータ４２０と、増幅器４３０、その他を具えている。プレーヤ／レコーダ４５０は、更に、リビングオーディオ復号器４６０と制御トラックモニタリングセンサまたは検出器４７０を具える。リビングオーディオ復号器４６０は、再生用に増幅器４３０で増幅するために、ＣＤ２００上の、デジタル情報を変換するように構成されている。復号器４６０は、いくつかの実施例において例えば、ＭＰ３、ＤＶＤ、またはその他のオーディオフォーマットに保存されている、保存リビングオーディオトラックを復号する。このようにして、ＣＤ２００により大きなプログラムストレージを得ることができる。一の実施例では、復号器４６０は更に、歌のリビングオーディオバージョン内に配置されているタグ、マーカ、その他を読み取るように構成されている。例えば、リビングオーディオ復号器４６０は、図３Ａ−３Ｃに概略的に記載されているタグ３７５、３８０、３８５および３９０を読み取るように構成することができる。
【００３２】
制御トラックモニタリングセンサ４７０は、制御トラック２９０から情報を引き出して、リビングオーディオ再生プロセスを実行するように構成されている。例えば、センサ４７０は、歌２２１からのスイッチングに関連する順序およびルールを支配する制御トラック２９０から、様々な歌バージョン２２２−２２７への情報を読み取る。このように、復号器４６０は、再生中に正しい歌バージョンを再生するように指示を受ける。各歌バージョンのプレイ数を追跡するために、タグ情報が読み取られ、インクリメントされてプレーヤ４００のメモリに保存される。
【００３３】
例示として、一の実施例では、レコーディングアーティストが、オリジナルの歌３００が、ユーザがディスクを聞く初回に、歌３００がその初回に聞かれたのち順次続くバージョン３０１と３０２を伴って再生されるべきであることを決定する。このことは、例えば、歌３００に対応するＣＤトラック「Ｘ」の３つの別々のプレイで生じる。言い換えると、第１回のトラックＸが、聴者によって要求され、歌３００がプレイされる。第２回のトラックＸが聴者によって要求され、歌３０１がプレイされるが、歌３００はプレイされない。第３回のトラックＸが要求され、歌３０２がプレイされ、歌３００と３０１はプレイされない。このようにして、聴者に対してプレイされた歌が、時間が経つにつれて、歌の構成、時間、フォーマット、その他の変化を伴って、歌３００から歌３０２へと移ってゆく。更に、一の実施例では、歌バージョン間の変化が、レコーディングアーティストによって読み上げられ、聴者に所望の効果を提供する。
【００３４】
歌のリビングオーディオバージョンに埋め込まれたタグ３７５−３９０の一つの利点は、復号器４６０で読むことができる能力である。この歌バージョン内のタグ３７５−３９０の読み取りを使用しては、一の実施例では、歌の別のバージョンに順次遷移できるようになっている。このことは、本発明の範囲内で、多数の様々な方法で実行されている。例えば、一の実施例では、歌の中に配置された全てのタグは、歌バージョンのそのバージョンがプレイされることを復号器４６０が確認する前に、バイパスするか、あるは読み取られなくてはならない。歌が所望の回数「プレイ」されたら、聴者にその歌がリクエストされる次回に異なるバージョンが提供される。歌が全部聴かれないような場合、歌の中の最後のタグが復号器４６０によって読み取られない。この場合、復号器４６０は、歌が全部プレイされたことを登録しない。聴者によって次回その歌がリクエストされるとき、その歌の同じバージョンが再びプレイされる。
【００３５】
歌の中の最後のタグを使用することは、本発明の範囲内の様々な歌のバージョンを聴者に提供するべきときを表示する多数の方法のうちの一つである。例えば、一の実施例では、特定のタグが、その歌の別のバージョンをその歌が次回リクエストされたときに再生させるトリガポイントである。この実施例では、トリガポイントタグは、その歌がユーザによって聞かれていたとして登録される前にバイパスされるか、あるいは読み取られなくてはならない。別の実施例では、大多数のタグが、その歌が聴かれたと思われる前に、バイパスされるかあるいは読み取られる必要がある。ユーザが、プレーヤ４５０からディスクを取り出した場合、あるいは特定の歌またはトラックのプレイを大多数のタグがヒットする前に停止した場合、プレーヤは、その歌のバージョンがプレイされたことを認識しない。この結果、ユーザが次回その歌を聞こうとしている時に、その歌の同じバージョンが再度プレイされる。
【００３６】
本発明の特定の実施例では、各ＣＤ２００、及び／又は各ＣＤ「トラック」、及び／又はＣＤ２００上の各歌が、関連するコードを有している。このコードは、プレーヤ４５０内のメモリに保存されている。プレーヤは、どの歌バージョンが聴者に対して最後にプレイされたかを「記憶」する能力がある。このようにして、ユーザは、レコーディングアーティストが設計したリビングオーディオバージョンを、次回ＣＤ２００がプレーヤ４５０に挿入されたときに聞くであろう。特定の実施例では、レコーディングアーティストによって製作された各ＣＤ２００が、共通のコードを有している。例えば、グループ「Evanescence」による「Fallen」というタイトルのＣＤはすべて、制御トラック２９０において符号化された共通コードまたはＣＤ識別子を有している。この結果、聴者は、プレーヤ４５０内に「Fallen」の別のＣＤを挿入することができ、プレーヤ４５０は、リビングオーディオトラックＸのどの歌バージョンをユーザが最後に聞いたのかを呼び起こすことができる。この特徴は、例えば、ユーザがオリジナルＣＤをなくした場合、ＣＤを借りる場合などに有益である。
【００３７】
別の実施例では、ユーザは、歌のどの特定バージョンを聞くのかを意欲的に選択することができる。これは、例えば、ＣＤ２００上の様々な歌または「トラック」間のみならず、特定の歌の様々なバージョン間で前に送り出すプレーヤ４５０内の早送り特性を有することによって生じる。例えば、図２を参照すると、ユーザが歌２３０の適宜のバージョン２３５にくると、ユーザは随意バージョン２３５を聞くことを選択する。一の実施例では、ユーザは、ＣＤ２００を聞くたびに所望のリビングオーディオバージョンを選択しなければならない。別の実施例では、復号器４６０は、歌２３０に対応するトラックの全てのプレイがバージョン２３５のプレイに代わるようにプログラムされている。
【００３８】
本発明の一の実施例では、リビングオーディオ技術を現存の歌の使用に組み入れている。例えば、今日存在する多くの歌は、アーティスト、レコーディングスタジオなどによって保存されているマスターバージョンを持っている。更に、多くの歌が、コンピュータファイル、ディスク、テープ、レコーディングプログラム、その他に維持されているオリジナルオーディオトラックを有している。このオリジナルバージョンは、歌がレコーディングされたときにアーティストによって設けられた様々なオーディオトラックを具えている。本発明の一実施例は、様々なオーディオトラックを削除、装飾、長くする、短くする、など、歌を再ミキシングすることによって、歌のバージョンを作り出すステップを有する。
【００３９】
このプロセスは図１を参照して理解される。一の実施例では、決定ブロック１５０から「ｙeｓ」ループによって示されるように、現存の歌を再ミキシング、および再編集して、歌のリビングオーディオトラックバージョンを作る。このループは必要に応じて何度でも繰り返して、追加のリビングオーディオバージョンを生成する。ある状況では、現存の歌のリビングオーディオバージョンは、オリジナルの歌に可能であるようには変化しない。このことは、例えば、現在死亡したアーティストによってレコーディングされた歌について生じることがある。この場合、アーティストはレコーディングスタジオに行って、異なるニュアンスの歌をレコーディングすることができない。この歌の変化は、ここに記載したとおり、現存のトラックを再ミキシングすることによって作ることができる。更に、決定ブロック１７０から「ｙeｓ」ブランチをたどって追加の楽器、ボーカル、その他などによる追加トラックを、スタジオでレコーディングすることができる。一の実施例では、これらの追加トラックがレコーディングされ（ブロック１１０）、ついで、再ミキシングされ（ブロック１２０）、再編集され（ブロック１３０）て、追加の歌のリビングオーディオバージョンを作る。このようにして、一の実施例では、リビングオーディオ技術は、現存の歌やその他のレコーディングにまで延長することができる。
【００４０】
更に別の実施例では、復号器４６０及び／又は制御センサ４７０の機能が、埋め込まれたソフトウエア内に組み込まれている。この実施例では、復号器４６０及び／又はセンサ４７０の機能を実行するソフトウエアは、ソフトウエアプラグインである。ソフトウエアプラグインは、一の実施例では、ウエブサイトからダウンロードすることができ、あるいは、プレーヤ４００へのアップロード用のディスク上にあってもよい。このように、リビングオーディオの機能性が、「標準」ＣＤ／ＤＶＤプレーヤ、ＭＰ３プレーヤ、ＩＰＯＤ、Media Player（登録商標）、Real Player（登録商標）などのコンピュータオーディオまたはビデオプログラム、その他に組み込まれている。
【００４１】
本発明のシステム及び方法は、更に、映画およびビデオ業界に適用可能である。通常、フィルム製作会社あるいは映画監督は、製作するべくシーンのスクリプトを書いて、この書かれたシーンを映画にする。このシーンは、映画、ビデオ、その他の劇場バージョンを作るべく、編集され、プリントされ、整理される。一の実施例では、フィルムの劇場バージョンを、デジタル可変ディスク、デジタルビデオディスク、その他など、標準ＤＶＤフォーマットでプリントする。ＤＶＤの再生は、標準ＤＶＤ再生装置で行う。
【００４２】
本発明の一実施例では、監督または製作会社は、フィルム用の追加シーンを製作する。これらのシーンは、映画に挿入する補助シーン、その映画の現在のシーンを置き換える、代替エンディング、追加プロローグまたは前材料、その他を含む代替シーンを有している。追加のシーンは、同じように編集されプリントされる。フィルムの劇場バージョンは、ＤＶＤ上でシーン、またはチャプタに分けて、映画鑑賞者が映画の一部だけを見る、様々なポイントで映画をスタートさせる、などができるようにしている。一の実施例では、映画の劇場バージョンは、シングルＤＶＤにある。一の実施例では、様々なシーンのリビングオーディオバージョンもＤＶＤにプリントされる。これは、フィルムの劇場バージョンとして同じＤＶＤ上に、あるいは第２のＤＶＤ上に生じる。監督及び／又は製作会社は、様々なシーンの再生シーケンスに関する入力を有する。例えば、タグまたはボタンを、様々な映画のシーンに挿入して、再生中にその映画を変形するための所望のトリガポイントを表示する。一の実施例では、この変形は、追加シーンの挿入、シーンの削除、一またはそれ以上の代替シーンまたはエンディングによるシーンの置き換えを含む。
【００４３】
映画のリビングビデオバージョンは、マスタリングされ、ＤＶＤまたはその他のストレージ媒体にプリントされて、追加のシーンまたは代替のエンディングを含めるようにする。リビングビデオ再生ユニットを案内して、所望のチャプタセレクションをプレイする制御トラック上にデータが符号化されている。追加のシーンまたは代替のエンディングに、「チャプタ」ステータスが与えられる。制御トラックは、フィルム製作会社または監督によって決定されたとおりに、チャプタを互いにリンクさせて、モーションピクチュア再生を形成する。監督によって予め決められているように、いくつかのチャプタを残して、別のチャプタを入れ替えることができる。このチャプタは、これらのチャプタの再生の頻度をモニタする、プログラム中に符号化されたボタンを有する。予め決められた数の再生を行った後、制御トラックは、アーティストまたは監督の裁量によって、除去されるチャプタと、入れ替えるあるいは追加するチャプタを交替させる。代替のエンディングは、チャプタが交換されるときにその映画に予めあるチャプタと同様に形成される。一の実施例では、リビングビデオ再生の終端において、エンドユーザに将来の再生用に見られるバージョンの保存オプションが与えられる。保存されたバージョンは、別のストレージデバイス、その他内で、削除されるか、再生ユニット中にインストールされたオンボードメモリ内に保存される。一の実施例では、エンドユーザは、チャプタを別の順番で整理して、エンドユーザ自身のバージョンのフィルム再生経験を作る能力を有していてもよい。
【００４４】
このようにして、変更および変形フィルム経験が映画に行く人、あるいは映画を見る人に提供される。変形チャプタの選択は、監督、プロデューサ、製作会社などによって支持されたあるいは特定されたやり方で実行される。例えば、チャプタ交替、削除、および追加のパターンで制御トラックがプログラムされる。監督は、従って、公衆に見せるために、フィルムのＸ個のバージョンを作る。一の実施例では、フィルムが様々なテレビジョンまたはケーブルネットワークチャネルに放映されるリビングビデオフォーマットにリリースされる。
【００４５】
一の実施例では、古いフィルムの新バージョンを作るために本発明のリビングビデオ技術を用いている。例えば、多くのフィルムは映画の劇場リリースよりも長く録画されており、最終バージョンの映画から編集された変化するシーン、エンディング、その他、による追加の長さを伴う。典型的には、これらの追加シーンは、ビデオライブラリに保持されている。本発明の一の実施例では、映画の再チャプタは、予めレコーディングされているシーンを取り出して、映画のオリジナルバージョンとして同じＤＶＤにレコーディングすることによって生じる。上述したように、制御トラックを用いて、現存のフィルムの新バージョンが作られる。一の実施例では、現存のフィルムの新バージョンは、様々な映画館で見る、ＤＶＤで販売する、テレビジョンまたはケーブルネットワークチャネルで上演する、その他、のために公に再度リリースされる。
【００４６】
リビングビデオについての本発明の一の使用は、家庭での映画鑑賞用にＤＶＤｓを公に販売することを含む。一の実施例では、ユーザが標準ＤＶＤ再生装置のみを有する場合、映画の劇場バージョンがプレイされる。これは、実際の追加チャプタと制御トラックが、代替のエンディング、交換チャプタ、追加の材料、その他を提供できるＤＶＤに保存されているにもかかわらず生じる。一の実施例では、リビングビデオ装填付ＤＶＤ再生装置は、制御トラックの読み取りと、映画バージョン内の様々なチャプタの交換が可能である。このようにして、映画の別のフローを実現することができる。
【００４７】
例えば、ディスクは、リビングビデオ再生技術を装備したＤＶＤプレーヤ中に配置することができる。チャプタ内に、および制御トラック上に配置した様々なボタンまたはタグから取り出したトラッキングおよび保存情報によって、再生ユニットは、チャプタの様々なシーケンスを変更し、チャプタを削除し、監督またはプロデューサによって予め選択された方法でその他のものと交換する。再生コンテンツは、監督によって符号化された所定のシーケンスに基づいてフィルムのビューイングによって変化する。一の実施例では、ディスクは、制御トラックに上に符号化されているとおりにチャプタの所望のフローを作成するだけである。
【００４８】
映画の特別バージョンが見られていたかどうかは、ＣＤ２００の再生についての上述した態様と同様に、部分的に、様々なタグまたはボタンが再生プロセスによって読み取られているかどうかに依存する。更に、様々な追加チャプタと代替のエンディングがＤＶＤのチャプタフォーマットに保存されており、これによって、ユーザは、別の方法で映画を終わらせたいのであれば、映画全体をもう一度見ることなく、代替のエンディングに正しくジャンプすることができる。これは、本の最後のページを最初に読むのに似ているが、このような特徴によって、ユーザは代替のエンディングを映画に描くことができ、従って、結局は代替のエンディングになる映画を全部見たいかどうかを決めることができる。
【００４９】
上述の実施例は、一般的に一のオーディオトラックから、以前のトラックが聞かれていた回数、トラックが聞かれている完全性、およびその他に基づく別のトラックへの切り替えについて記載したが、本発明は、一のオーディオトラックあるいは歌バージョンから別のオーディオトラック又は歌バージョンへの切り替えについての代替のスキームを具えている。例えば、特定の実施例では、歌バージョンまたはオーディオトラックが、プレーヤ／レコーダ４５０によって、予めセットした時間コードに応じてまたは、一の実施例では、ＣＤ２００に保存されているフラッグに応じて選択される。時間コードは、日付及び／又は時刻を含む。特別な実施例では、時間／日付のコードまたはフラッグが、制御トラック２９０内に保持されており、ＣＤ２００の指定セクションに保存されるか、あるいはＣＤ２００のファームウエアまたはソフトウエアに維持されている。上述した実施例にあるように、ＣＤ２００は、ほとんどあらゆる記録媒体を具えている。これには、限定することなく、コンパクトディスク、デジタル可変ディスク（ＤＶＤ）、デジタルビデオ、あるいはオーディオディスク、スーパーオーディオディスク、メモリチップ、その他の記録媒体、などが含まれる。
【００５０】
特別な例として、一の実施例では、別のバージョンがプレイされる前に聴者が歌または歌バージョンを一セット回数聞く代わりに、聴者は、再生時間がＣＤ２００に含まれる時間コードまたはフラッグを越えるまで、歌または歌バージョンを聴く。例えば、制御トラック２９０は、プレーヤ／レコーダ４５０、特に復号器４６０及び／又は検出器４７０で読み取られる、特別な日付及び／又は時間を含むことができる。一の実施例では、例えば２００６年１月１日まで歌２２１がプレイされ、その後は、歌バージョン２２２がプレイされる。同様に、歌バージョン２２２から２２３への移行、または順次の歌バージョン間の移行は、適宜の時間／日付コード、スタンプ、あるいはフラッグに従って同様に生じることがある。
【００５１】
一の実施例では、一の歌バージョンから次のバージョンへの移行は、少なくとも部分的に、プレーヤ／レコーダ４５０内の内部クロックによって維持されている時間と、ＣＤ２００の時間コードに依存する。別の実施例では、時間／日付コードまたはフラッグは、一の歌バージョンから別の歌バージョンへ切り替えをトリガするのには用いられないが、ＣＤ２００または制御トラック２９０が時間／日付コードの順で読み出されているときに、予めレコーディングされているメッセージまたはその他のレコーディングされている選択の再生をトリガする。例えば、プレーヤ／レコーダ４５０は、ユーザがＣＤ２００のあるオーディオトラックをリクエストすると、歌２２１をプレイする。時間／日付コードに関連する時間と日付が過ぎると、プレーヤ／レコーダ４５０は、聴者が同じトラックを次回リクエストするときに、ＣＤ２００に保存されている指定メッセージまたはその他のレコーディングされた情報をプレイする。いくつかの実施例では、この新規メッセージまたはその他のレコーディングされた情報が、例えば、歌バージョン２２１−２２７の一またはそれ以上のバージョンを置き換える。別の実施例では、メッセージまたはその他のレコーディングされている情報が、上記に詳細に述べたような、様々な歌バージョン２２１−２２７をプレイするための再チューニングを行う前に、１回、あるいは所定の回数プレイされる。
【００５２】
メッセージ又はその他のレコーディングされた情報の内容は、本発明の範囲内で広く変更することができる。例えば、広告あるいは販促アナウンスメントを、このメッセージ又はその他のレコーディングされた情報の部分としてＣＤ２００に含めることができる。この情報は、例えば、今後のツアー、同じアーティストによる今後の新しいリリース、などをアナウンスできる。販促メッセージは、例えば、所定の時間及び日に基づいてオーディオ再生中にシーケンスすることができる。一の実施例では、販促メッセージが一回、又は指定の回数プレイされると、その後は、プレーヤ／レコーダ４５０によって、メッセージがそれ以上再生されない。
【００５３】
別の実施例では、この一般的な特徴が、更に、ビデオチャプタまたはセグメントの再生に組み込まれている。例えば、アウトテーク、代替シーンおよびエンディングを特定の順番でプレイするようにプログラムしても良く、あるいは次回の再生が、まったく異なる順番になるようにチャプタ同士を配置することもできる。ビデオ作品の代替シーンあるいはエンディングに加えて、あらかじめレコーディングされたメッセージ、販促シーケンスなどを、特定の時間におけるリプレイ用の再生に挿入することもできる。例えば、販促メッセージは、プレーヤ／レコーダの内臓クロックが、ＤＶＤまたはその他のレコーディング可能な媒体に保存されている予め決められた日付及び／又は時間を過ぎたときに、ビデオプレーヤ／レコーダでプレイするようシーケンスすることができる。販促メッセージまたはレコーディングされた情報は、１回、２回、又は所望の回数プレイすることができ、更に、再生用の一又はそれ以上のチャプタを置き換えることができ、あるいは、追加の再生チャプタまたは選択として加えることができる。
【００５４】
一の実施例では、ビデオとオーディオの両実施例において、再生を制御するための時間／日付コード、フラッグ、などが、ＣＤ２００の制御トラック２９０内に、再生制御用のソフトウエアまたはファームウエアを有するチップなどで保持されている。この情報は、一の実施例では、センサ４７０で読み取る。更に、制御トラック２９０から読むデータは、プレーヤ／レコーダ４５０内に保持されているプロセッサによって処理され、更に、プレーヤ／レコーダ４５０に保持されているメモリ内に保存される。一の実施例では、プレーヤ／レコーダ４５０に保持されているプロセッサは、メモリ、センサ４７０、復号器４６０、その他と、電気的あるいは光学的に通信する中央処理ユニット、チップベースプロセッサ、などである。プレーヤ／レコーダ４５０内に保持されているメモリは、例えば、キャッシュメモリ、ランダムアクセスメモリ、または、デジタルまたはアナログ情報を保存できるその他の媒体を含む。
【００５５】
上述の記載にかかわらず、本発明によればその他の多くのシステム、機能、方法、およびこれらの組み合わせが可能であることが認識される。従って、本発明は、特別な実施例と図面を参照して記載されているが、この実施例と図面は単に説明のためのものであり、本発明を限定するものではない。むしろ、本発明の範囲は、請求の範囲によってのみ決定されるべきである。
【図面の簡単な説明】
【００５６】
【図１】図１は、本発明の一実施例に係るオーディオトラックをレコーディングする方法のフローチャートである。
【図２】図２は、本発明に係るレコーディングされたトラックを有する媒体を図に示したものである。
【図３】図３Ａ乃至３Ｃは、本発明に係るオーディオトラックの別のバージョンについての時間ラインを示す図である。
【図４Ａ】図４Ａは、本発明の実施例に係るオーディオ及び／又はビデオ再生装置を単純化して示す図である。
【図４Ｂ】図４Ｂは、本発明の実施例に係るオーディオ及び／又はビデオ再生装置を単純化して示す図である。
【図１】
2007522604.tif 000003
【図２】
2007522604.tif 000004
【図３】
2007522604.tif 000005
【図４Ａ】
2007522604.tif 000006
【図４Ｂ】
2007522604.tif 000007
【国際調査報告】
2007522604.tif 000008